(57)【要約】  本発明は、電流の流れを遮断することなく、エネルギー貯蔵システム（ＥＳＳ）のコンタクタの融着有無を確認する装置及び方法に関する。  具体的には、コンタクタを並列に接続される２つのリレーから構成して、電流の流れを遮断することなく、エネルギー貯蔵システム（ＥＳＳ）のコンタクタの融着有無を確認する装置及び方法に関する。
2021521458.tif 000002
【特許請求の範囲】
【請求項１】
常時電力網に接続されているエネルギー貯蔵システム（ＥＳＳ）において、
前記エネルギー貯蔵システム（ＥＳＳ）は、
バッテリーの電流、電圧及び温度に基づいて、前記エネルギー貯蔵システム（ＥＳＳ）の使用有無を決定するバッテリースーパーチェッカー（ＢＳＣ）と、
互いに直列もしくは並列に接続される多数のバッテリーラックと、
前記多数のバッテリーラックから供給される電力を外部に出力する（＋）出力端と、
前記バッテリースーパーチェッカー（ＢＳＣ）の指令を受けて前記エネルギー貯蔵システム（ＥＳＳ）の使用を遮断するエネルギー貯蔵システム（ＥＳＳ）電源遮断部と、
を備えてなり、
前記エネルギー貯蔵システム（ＥＳＳ）電源遮断部は、
前記エネルギー貯蔵システム（ＥＳＳ）の前記バッテリーラックに接続された一方の端と、前記エネルギー貯蔵システム（ＥＳＳ）の前記（＋）出力端に接続された他方の端とを有するコンタクタであって、前記バッテリーラックと前記エネルギー貯蔵システム（ＥＳＳ）の前記（＋）出力端との間の電気的な経路を形成するコンタクタと、
前記バッテリーラックと前記コンタクタとの間の電気的な経路の上に配設されて経路の電流を測定して前記バッテリースーパーチェッカー（ＢＳＣ）に伝送する電流測定部と、
を備えてなることを特徴とするエネルギー貯蔵システム（ＥＳＳ）。
【請求項２】
前記コンタクタは、
前記電流測定部の出力に接続された一方の端と、前記エネルギー貯蔵システム（ＥＳＳ）の前記（＋）出力端に接続された他方の端とを有する第１のリレーであって、第１の電流経路を形成する第１のリレーと、
前記電流測定部の出力に接続された一方の端と、前記エネルギー貯蔵システム（ＥＳＳ）の前記（＋）出力端に接続された他方の端とを有する第２のリレーであって、第２の電流経路を形成する第２のリレーと、
前記第１のリレーの融着有無を感知し、感知結果を前記バッテリースーパーチェッカー（ＢＳＣ）に伝送する第１の感知部と、
前記第２のリレーの融着有無を感知し、感知結果を前記バッテリースーパーチェッカー（ＢＳＣ）に伝送する第２の感知部と、
を備えてなり、
前記第１のリレーと前記第２のリレーとは、並列に接続されることを特徴とする請求項１に記載のエネルギー貯蔵システム（ＥＳＳ）。
【請求項３】
前記第１の感知部は、
前記電流測定部の出力端に接続された一方の端と、前記エネルギー貯蔵システム（ＥＳＳ）の前記（＋）出力端に接続された他方の端とを有する電流測定器であって、前記第１のリレーと並列回路を構成して前記第１のリレーが開かれた場合、前記並列経路上の電流を測定する電流測定器であり、
前記第２の感知部は、
前記電流測定部の出力端に接続された一方の端と、前記エネルギー貯蔵システム（ＥＳＳ）の前記（＋）出力端に接続された他方の端とを有する電流測定器であって、前記第２のリレーと並列回路を構成して前記第２のリレーが開かれた場合、前記並列経路上の電流を測定する電流測定器であることを特徴とする請求項２に記載のエネルギー貯蔵システム（ＥＳＳ）。
【請求項４】
前記第１の感知部は、
第１のフォトカップラーを備えてなり、
前記第１のフォトカップラーは、前記第１のリレーが開かれた場合、前記第１のフォトカップラーに電流が流れて発光するように前記第１のリレーと並列に接続され、
前記第２の感知部は、
第２のフォトカップラーを備えてなり、
前記第２のフォトカップラーは、前記第２のリレーが開かれた場合、前記第２のフォトカップラーに電流が流れて発光するように前記第２のリレーと並列に接続されることを特徴とする請求項３に記載のエネルギー貯蔵システム（ＥＳＳ）。
【請求項５】
前記第１のフォトカップラーは、
互いに絶縁されている第１の発光部及び第１の受光部を備えてなり、
前記第１の発光部は、
前記第１のリレーに融着がなければ発光し、
前記第１のリレーに融着があれば発光せず、
前記第１の受光部は、
前記第１の発光部から光信号が入力されれば、電気的な信号を前記バッテリースーパーチェッカー（ＢＳＣ）に伝送することを特徴とする請求項４に記載のエネルギー貯蔵システム（ＥＳＳ）。
【請求項６】
前記第２の感知部は、
第２のフォトカップラーを備えてなり、
前記第２のフォトカップラーは、前記第２のリレーが開かれた場合、前記第２のフォトカップラーに電流が流れて発光するように前記第２のリレーと並列に接続され、
前記第２のフォトカップラーは、
互いに絶縁されている第２の発光部及び第２の受光部を備えてなり、
前記第２の発光部は、
前記第２のリレーに融着がなければ発光し、
前記第２のリレーに融着があれば発光せず、
前記第２の受光部は、
前記第２の発光部から光信号が入力されれば、電気的な信号を前記バッテリースーパーチェッカー（ＢＳＣ）に伝送することを特徴とする請求項４又は５に記載のエネルギー貯蔵システム（ＥＳＳ）。
【請求項７】
常時電力網に接続されたエネルギー貯蔵システム（ＥＳＳ）のコンタクタの融着有無を感知する方法において、
電流測定部において現在のエネルギー貯蔵システム（ＥＳＳ）の出力電流を測定する電流測定ステップと、
前記測定されたエネルギー貯蔵システム（ＥＳＳ）の前記出力電流がコンタクタを構成する第１のリレー及び第２のリレーの許容電流未満であるか否かを確認する電流確認ステップと、
前記エネルギー貯蔵システム（ＥＳＳ）の前記出力電流が前記第１のリレー及び前記第２のリレーの前記許容電流未満である場合、前記コンタクタを構成する前記第１のリレーを開き、第１の感知部を用いて前記第１のリレーの融着有無を確認する第１のリレーの融着有無の確認ステップと、
前記開かれている第１のリレーを閉じ、前記第２のリレーを開いた後、第２の感知部を用いて前記第２のリレーの融着有無を確認する第２のリレーの融着有無の確認ステップと、
を含んでなることを特徴とするエネルギー貯蔵システム（ＥＳＳ）のコンタクタの融着有無の確認方法。
【請求項８】
前記第１のリレーの融着有無の確認ステップにおいては、
前記第１のリレーが開かれて第１の電流経路が遮られ、第２の電流経路にのみ電流が流れる状態で、前記第１の感知部を用いて前記第１のリレーの融着有無を確認し、
前記第２のリレーの融着有無の確認ステップにおいては、
前記第１のリレーが閉じられ、前記第２のリレーが開かれて前記第２の電流経路が遮られ、前記第１の電流経路にのみ電流が流れる状態で、前記第２の感知部を用いて前記第２のリレーの融着有無を確認することを特徴とする請求項７に記載のエネルギー貯蔵システム（ＥＳＳ）のコンタクタの融着有無の確認方法。
【請求項９】
前記第２のリレーの融着有無の確認ステップは、
前記第１のリレーの融着が感知されない場合にのみ行われることを特徴とする請求項７又は８に記載のエネルギー貯蔵システム（ＥＳＳ）のコンタクタの融着有無の確認方法。
【請求項１０】
前記第１のリレーの融着有無の確認ステップにおいて前記第１のリレーの融着が感知された場合、
前記第１のリレーの融着感知信号をバッテリースーパーチェッカー（ＢＳＣ）に伝送し、
前記第２のリレーの融着有無の確認ステップを行わないことを特徴とする請求項７〜９のいずれか一項に記載のエネルギー貯蔵システム（ＥＳＳ）のコンタクタの融着有無の確認方法。
【発明の詳細な説明】
【技術分野】
【０００１】
本発明は、エネルギー貯蔵システム（ＥＳＳ）に備えられるコンタクタの融着有無を確認する装置及び方法に関する。
【０００２】
具体的には、電流の流れを遮断することなく、コンタクタの融着有無を確認する装置及び方法に関する。
【背景技術】
【０００３】
近年、化石エネルギーの枯渇と化石エネルギーの使用による環境汚染により、二次電池バッテリーを用いて駆動できる電気製品への関心が高まりつつある。これにより、モバイル機器、電気自動車（Ｅｌｅｃｔｒｉｃ  Ｖｅｈｉｃｌｅ；ＥＶ）、ハイブリッド自動車（Ｈｙｂｒｉｄ  Ｖｅｈｉｃｌｅ；ＨＶ）、エネルギー貯蔵システム（Ｅｎｅｒｇｙ  Ｓｔｏｒａｇｅ  Ｓｙｓｔｅｍ；ＥＳＳ）及び無停電電源供給装置（Ｕｎｉｎｔｅｒｒｕｐｔｉｂｌｅ  Ｐｏｗｅｒ  Ｓｕｐｐｌｙ；ＵＰＳ）などに向けた取り組みが盛んに行われ、しかも、これらへの需要が高まることに伴い、エネルギー源としての二次電池の需要が急増している。
【０００４】
この種の二次電池は、化石エネルギーの使用を画期的に低減できるという一次的なメリットがあるだけではなく、エネルギーの使用に伴う副産物が全く生じないという点で、環境にやさしく、しかも、エネルギー効率性の向上のための新たなエネルギー源として注目を集めている。
【０００５】
一方、前記二次電池は、複数が接続されてモジュールを形成し、前記モジュールが接続されて一つのエネルギー貯蔵システム（ＥＳＳ）を形成することができる。
【０００６】
このようにして形成されるエネルギー貯蔵システム（ＥＳＳ）は、コンタクタ（ｃｏｎｔａｃｔｏｒ）を用いて外部装置を電気的に接続する。
【０００７】
コンタクタは、エネルギー貯蔵システム（ＥＳＳ）の使用に問題が生じる場合、人為的に開かれる。したがって、エネルギー貯蔵システム（ＥＳＳ）のバッテリースーパーチェッカー（ＢＳＣ）においては、エネルギー貯蔵システム（ＥＳＳ）に備えられるコンタクタの融着有無を周期的に確認することを余儀なくされる。
【０００８】
コンタクタの融着有無を確認する従来の技術では、コンタクタに流れる電流の流れを遮断した後、コンタクタの融着具合を確認していた。
【０００９】
しかしながら、エネルギー貯蔵システム（ＥＳＳ）は、常時電力網に接続された状態を保つため、コンタクタの融着有無を確認するために電流の流れを遮断することが困難であった。
【００１０】
この理由から、本発明は、電流の流れを遮断することなく、エネルギー貯蔵システムのコンタクタの融着有無を確認する装置及び方法を提案する。
【発明の概要】
【発明が解決しようとする課題】
【００１１】
本発明は、電流の流れを遮断することなく、エネルギー貯蔵システム（ＥＳＳ）のコンタクタの融着有無を確認する装置及び方法を提供する。
【課題を解決するための手段】
【００１２】
本発明の実施形態に係る常時電力網に接続されているエネルギー貯蔵システム（ＥＳＳ）は、バッテリーの電流、電圧及び温度に基づいて、前記エネルギー貯蔵システム（ＥＳＳ）の使用有無を決定するバッテリースーパーチェッカー（ＢＳＣ）と、互いに直列もしくは並列に接続される多数のバッテリーラックと、前記多数のバッテリーラックから供給される電力を外部に出力する（＋）出力端と、前記バッテリースーパーチェッカー（ＢＳＣ）の指令を受けて前記エネルギー貯蔵システム（ＥＳＳ）の使用を遮断するエネルギー貯蔵システム（ＥＳＳ）電源遮断部と、を備えてなることを特徴とする。
【００１３】
前記エネルギー貯蔵システム（ＥＳＳ）電源遮断部は、前記エネルギー貯蔵システム（ＥＳＳ）の前記バッテリーラックに接続された一方の端と、前記エネルギー貯蔵システム（ＥＳＳ）の前記（＋）出力端に接続された他方の端とを有するコンタクタであって、前記バッテリーラックと前記エネルギー貯蔵システム（ＥＳＳ）の前記（＋）出力端との間の電気的な経路を形成するコンタクタと、前記バッテリーラックと前記コンタクタとの間の電気的な経路の上に配設されて経路の電流を測定して前記バッテリースーパーチェッカー（ＢＳＣ）に伝送する電流測定部と、を備えていてもよい。
【００１４】
前記コンタクタは、前記電流測定部の出力に接続された一方の端と、前記エネルギー貯蔵システム（ＥＳＳ）の前記（＋）出力端に接続された他方の端とを有する第１のリレーであって、第１の電流経路を形成する第１のリレーと、前記電流測定部の出力に接続された一方の端と、前記エネルギー貯蔵システム（ＥＳＳ）の前記（＋）出力端に接続された他方の端とを有する第２のリレーであって、第２の電流経路を形成する第２のリレーと、前記第１のリレーの融着有無を感知し、感知結果を前記バッテリースーパーチェッカー（ＢＳＣ）に伝送する第１の感知部と、前記第２のリレーの融着有無を感知し、感知結果を前記バッテリースーパーチェッカー（ＢＳＣ）に伝送する第２の感知部と、を備えてなり、前記第１のリレーと前記第２のリレーとは、並列に接続されてもよい。
【００１５】
前記第１の感知部は、前記電流測定部の出力端に接続された一方の端と、前記エネルギー貯蔵システム（ＥＳＳ）の前記（＋）出力端に接続された他方の端とを有する電流測定器であって、前記第１のリレーと並列回路を構成して前記第１のリレーが開かれた場合、並列経路上の電流を測定する電流測定器であり、前記第２の感知部は、前記電流測定部の出力端に接続された一方の端と、前記エネルギー貯蔵システム（ＥＳＳ）の前記（＋）出力端に接続された他方の端とを有する電流測定器であって、前記第２のリレーと並列回路を構成して前記第２のリレーが開かれた場合、並列経路上の電流を測定する電流測定器であってもよい。
【００１６】
前記第１の感知部は、第１のフォトカップラーを備えてなり、前記第１のフォトカップラーは、前記第１のリレーが開かれた場合、前記第１のフォトカップラーに電流が流れて発光するように前記第１のリレーと並列に接続され、前記第１のフォトカップラーは、互いに絶縁されている第１の発光部及び第１の受光部を備えてなり、前記第１の発光部は、前記第１のリレーに融着がなければ発光し、前記第１のリレーに融着があれば発光せず、前記第１の受光部は、前記第１の発光部から光信号が入力されれば、電気的な信号を前記バッテリースーパーチェッカー（ＢＳＣ）に伝送してもよい。
【００１７】
前記第２の感知部は、第２のフォトカップラーを備えてなり、前記第２のフォトカップラーは、前記第２のリレーが開かれた場合、前記第２のフォトカップラーに電流が流れて発光するように前記第２のリレーと並列に接続され、前記第２のフォトカップラーは、互いに絶縁されている第２の発光部及び第２の受光部を備えてなり、前記第２の発光部は、前記第２のリレーに融着がなければ発光し、前記第２のリレーに融着があれば発光せず、前記第２の受光部は、前記第２の発光部から光信号が入力されれば、電気的な信号を前記バッテリースーパーチェッカー（ＢＳＣ）に伝送してもよい。
【００１８】
本発明の実施形態に係る常時電力網に接続されたエネルギー貯蔵システム（ＥＳＳ）のコンタクタの融着有無を感知する方法は、常時電力網に接続されたエネルギー貯蔵システム（ＥＳＳ）のコンタクタの融着有無を感知する方法において、電流測定部において現在のエネルギー貯蔵システム（ＥＳＳ）の出力電流を測定する電流測定ステップと、前記測定されたエネルギー貯蔵システム（ＥＳＳ）の前記出力電流がコンタクタを構成する第１のリレー及び第２のリレーの許容電流未満であるか否かを確認する電流確認ステップと、前記エネルギー貯蔵システム（ＥＳＳ）の前記出力電流が前記第１のリレー及び前記第２のリレーの許容電流未満である場合、前記コンタクタを構成する前記第１のリレーを開き、第１の感知部を用いて前記第１のリレーの融着有無を確認する第１のリレーの融着有無の確認ステップと、前記開かれている前記第１のリレーを閉じ、前記第２のリレーを開いた後、第２の感知部を用いて前記第２のリレーの融着有無を確認する第２のリレーの融着有無の確認ステップと、を含んでなることを特徴とする。
【００１９】
前記第１のリレーの融着有無の確認ステップにおいては、前記第１のリレーが開かれて前記第１の電流経路が遮られ、前記第２の電流経路にのみ電流が流れる状態で、前記第１の感知部を用いて前記第１のリレーの融着有無を確認し、前記第２のリレーの融着有無の確認ステップにおいては、前記第１のリレーが閉じられ、前記第２のリレーが開かれて前記第２の電流経路が遮られ、前記第１の電流経路にのみ電流が流れる状態で、前記第２の感知部を用いて前記第２のリレーの融着有無を確認してもよい。
【００２０】
前記第２のリレーの融着有無の確認ステップは、前記第１のリレーの融着が感知されない場合にのみ行われ、前記第１のリレーの融着有無の確認ステップにおいて前記第１のリレーの融着が感知された場合、前記第１のリレーの融着感知信号を前記バッテリースーパーチェッカー（ＢＳＣ）に伝送し、前記第２のリレーの融着有無の確認ステップを行わなくてもよい。
【発明の効果】
【００２１】
本発明によれば、電流の流れを遮断することなく、エネルギー貯蔵システム（ＥＳＳ）のコンタクタの融着有無を確認することができる。
【図面の簡単な説明】
【００２２】
【図１】本発明の実施形態に係るエネルギー貯蔵システム（ＥＳＳ）のコンタクタの融着有無の確認方法を示す手順図である。
【図２】本発明の他の実施形態に係るエネルギー貯蔵システム（ＥＳＳ）を示す図である。
【発明を実施するための形態】
【００２３】
以下では、添付図面に基づいて、本発明が属する技術分野において通常の知識を有する者が容易に実施できるように本発明の実施の形態について詳しく説明する。しかしながら、本発明は、種々の異なる形態に具体化可能であり、ここで説明する実施の形態に何ら限定されるものではない。なお、図中、本発明を明確に説明するために、説明とは無関係な部分は省略し、明細書の全般に亘って、類似の部分には類似の図面符号を付している。
【００２４】
「第１の」、「第２の」などのように序数を含む言い回しは、様々な構成要素を説明するうえで使用可能であるが、前記構成要素は、前記言い回しによって何等限定されない。前記言い回しは、ある構成要素を他の構成要素から区別する目的でしか使えない。例えば、本発明の権利範囲を逸脱しない範囲内において第１の構成要素は第２の構成要素と命名されてもよく、同様に、第２の構成要素もまた第１の構成要素と命名されてもよい。本出願において用いた用語は、単に特定の実施の形態を説明するために用いられたものであり、本発明を限定しようとする意図はない。単数の表現は、文脈からみて明らかに他の意味を有さない限り、複数の言い回しを含む。
【００２５】
明細書の全般に亘って、ある部分が他の部分と「連結」されているとか、「接続」されているとか、と言及された場合、これは、前記ある部分が前記他の部分に「直接的に連結されたり接続」されたりする場合だけではなく、これらの間に他の素子を間に挟んで「電気的に連結されたり接続」されたりする場合をも含む。なお、ある部分がある構成要素を「備える」としたとき、これは、特に断りのない限り、他の構成要素を除外するわけではなく、他の構成要素をさらに備えていてもよいことを意味する。本願の明細書の全般に亘って用いられる度合いの言い回しである「〜（する）ステップ」又は「〜のステップ」は、「〜のためのステップ」を意味するものではない。
【００２６】
本発明において用いられる用語としては、本発明における機能を考慮しつつ、できる限り現在汎広く用いられている一般的な用語を選択したが、これは、当分野に携わっている技術者の意図又は判例、新たな技術の出現などによって異なる。なお、特定の場合は、出願人が任意に選定した用語もあり、この場合に、当該する発明の説明の部分の欄において詳しくその意味を記載する。よって、本発明において用いられる用語は、単なる用語の名称ではなく、その用語が有する意味と本発明の全般に亘っての内容を踏まえて定義されるべきである。
【００２７】
１．本発明の実施形態に係るエネルギー貯蔵システム（ＥＳＳ）のコンタクタの融着有無の確認方法。
図１は、本発明の実施形態に係るエネルギー貯蔵システム（ＥＳＳ）のコンタクタの融着有無の確認方法を示す手順図である。
【００２８】
以下では、図１に基づいて、本発明の実施形態に係るエネルギー貯蔵システム（ＥＳＳ）のコンタクタの融着有無の確認方法について説明する。
【００２９】
本発明の実施形態に係るエネルギー貯蔵システム（ＥＳＳ）のコンタクタの融着有無の確認方法は、電流測定部において現在のエネルギー貯蔵システム（ＥＳＳ）の出力電流を測定する電流測定ステップ（Ｓ１００）と、前記測定されたエネルギー貯蔵システム（ＥＳＳ）の出力電流がコンタクタを構成する第１のリレー及び第２のリレーの許容電流未満であるか否かを確認する電流確認ステップ（Ｓ２００）と、前記測定されたエネルギー貯蔵システム（ＥＳＳ）の出力電流が第１のリレー及び第２のリレーの許容電流未満である場合、第１のリレーを開き、第１の感知部を用いて第１のリレーの融着有無を確認する第１のリレーの融着有無の確認ステップ（Ｓ３００）と、前記開かれている第１のリレーを閉じ、第２のリレーを開いた後、第２の感知部を用いて第２のリレーの融着有無を確認する第２のリレーの融着有無の確認ステップ（Ｓ４００）と、を含んでいてもよい。
【００３０】
一方、本発明のエネルギー貯蔵システム（ＥＳＳ）のコンタクタの融着有無の確認方法は、コンタクタを構成する２つのリレーのうち、融着有無を感知するとき、融着有無を測定する１つのリレーの接続は切断され、残りの１つのリレーを介してのみ電流が流れるため、電流値が１つのリレーが許容できる電流範囲であるか否かを確認しなければならない。
【００３１】
換言すれば、普段、２つのリレーが両方とも閉じられていて、第１のリレーを介して電流が流れる第１の電流経路と第２のリレーを介して電流が流れる第２の電流経路との両方を介して電流が流れる。
【００３２】
しかしながら、コンタクタの融着有無を確認する方法は、エネルギー貯蔵システム（ＥＳＳ）が常時電源に接続されているため、電流の流れを完全に遮断し難い。したがって、第１のリレーの融着有無を確認する第１のリレーの融着有無の確認ステップ（Ｓ３００）においては第１のリレーは開き（Ｓ３１０）、第２のリレーは閉状態を保って第２の電流経路にのみ電流が流れるようにし、第１のリレーの融着有無を確認（Ｓ３２０）する。
【００３３】
このように、第１のリレーの融着有無の確認ステップ（Ｓ３００）において、第１及び第２の電流経路の両方に流れていた電流が第２の電流経路にそのまま流れてしまうと、第２のリレーにダメージが生じる虞があるため、電流確認ステップ（Ｓ２００）において、電流測定部において測定される電流が第２のリレーの１つの許容範囲以内であるか否かを確認しなければならない。
【００３４】
換言すれば、前記電流確認ステップ（Ｓ２００）における確認の結果、１つのリレーにおいて対応できる範囲の電流である場合にのみ、コンタクタの融着有無を確認することができる。
【００３５】
一方、第１のリレーの融着有無の確認ステップ（Ｓ３００）においては、第１の感知部を用いて第１のリレーの融着有無を確認（Ｓ３２０）してもよい。例えば、前記第１の感知部は、第１のフォトカップラーを備えていてもよい。具体的に、第１のフォトカップラーは、第１の発光部と第１の受光部とを併せ持ち、第１の発光部と第１の受光部とが電気的に絶縁され、光信号によって信号が引き渡され得る。動作原理について述べると、第１のフォトカップラーの第１の発光部が発光し、この光を第１の受光部に入射させれば伝導状態になる。フォトカップラーは、一方向性となっている。
【００３６】
したがって、本発明の第１のリレーの融着有無の確認ステップ（Ｓ３００）において、第１のリレーを開く（Ｓ３１０）ため、第１のフォトカップラーに電流が流れて発光部が発光することが正常である。
【００３７】
これとは逆に、第１のリレーを開く指令を行ったにも関わらず、第１のリレーに融着が生じて第１のリレーが開かれずに閉じられ続ける状態を保つと、第１のフォトカップラーではなく、第１のリレー経路にほとんどの電流が流れて第１のフォトカップラーに電流が流れないため、第１の発光部が発光しない。
【００３８】
換言すれば、第１のリレーの融着有無の確認ステップ（Ｓ３００）においては、第１のリレーを開く（Ｓ３１０）ため、第１のフォトカップラーが発光するということは、第１のリレーが正常状態であることを意味し、第１のフォトカップラーが発光しないということは、第１のリレーに融着が生じたことを意味する。
【００３９】
一方、上述した第１のリレーの融着有無の確認ステップ（Ｓ３００）は、フォトカップラーを用いて第１のリレーの融着有無を感知する場合を例にとったものに過ぎず、本発明はこれに何ら限定されるものではなく、リレーの融着有無を確認できる種々の方法が利用可能である。
【００４０】
他方、第１のリレーの融着有無の確認ステップ（Ｓ３００）において、第１の感知部において第１のリレーの融着を確認したところ、第１のリレーの融着が感知されない場合には、前記第２のリレーの融着有無の確認ステップ（Ｓ４００）を行ってもよい。
【００４１】
しかしながら、前記第１のリレーの融着有無の確認ステップ（Ｓ３００）において、第１のリレーの融着が感知される場合には、第１の感知部は、バッテリースーパーチェッカー（ＢＳＣ）へと第１のリレーの融着感知信号を伝送（Ｓ５００）し、第２のリレーの融着有無の確認ステップ（Ｓ４００）を行わなくてもよい。
【００４２】
具体的に、第１のリレーの融着が感知されたということは、第１のリレーが正常的な機能を行い難いことを意味する。すなわち、第１のリレーが故障した状態で、第２のリレーの融着有無を検査することができない。
【００４３】
すなわち、本発明における第２のリレーの融着有無の確認ステップ（Ｓ４００）は、第１のリレーのみが閉じられた状態であり、第２のリレーは開かれた状態であるが、第１のリレーにおいて融着が生じたため、第１のリレーが正常的な機能を行うことができない。したがって、第２のリレーの融着有無を確認するために第２の電流経路は開き、非正常的な第１の電流経路にのみ電流を流すことは好ましくない。
【００４４】
したがって、第２のリレーの融着有無の確認ステップを行わないことが好ましい。
【００４５】
一方、第２のリレーの融着有無の確認ステップ（Ｓ４００）においては、第２の感知部を用いて第２のリレーの融着有無を確認（Ｓ４３０）してもよい。このとき、前記第１のリレーは閉じられて（Ｓ４１０）おり、第２のリレーは開かれて（Ｓ４２０）いて、電流は第１の経路を介してのみ流れる。
【００４６】
前記第２の感知部は、例えば、フォトカップラーを備えていてもよい。具体的に、第２のフォトカップラーは、第２の発光部と第２の受光部とを併せ持ち、第２の発光部と第２の受光部とが電気的に絶縁され、光信号によって信号が引き渡され得る。動作原理について述べると、第２のフォトカップラー内の発光ダイオードに信号が入力されれば第１の発光部が発光し、この光を第２の受光部において受光して電気的な信号を生成することができる。
【００４７】
したがって、本発明の第２のリレーの融着有無の確認ステップ（Ｓ４００）においては、第２のリレーを開く（Ｓ４２０）ため、フォトカップラーに電流が流れて発光部が発光することが正常である。
【００４８】
これとは逆に、第２のリレーを開く指令を行ったにも関わらず、第２のリレーに融着が生じて第２のリレーが閉じられ続ける状態を保つと、フォトカップラーではなく、第２のリレー経路にほとんどの電流が流れてフォトカップラーに電流が流れないため、発光部が発光しない。
【００４９】
換言すれば、第２のリレーの融着有無の確認ステップにおいては第２のリレーを開くため、フォトカップラーが発光するということは、第２のリレーが正常状態であることを意味し、フォトカップラーが発光しないということは、第２のリレーに融着が生じたことを意味する。
【００５０】
一方、上述した第２のリレーの融着有無の確認ステップ（Ｓ４００）は、フォトカップラーを用いて第１のリレーの融着有無を感知する場合を例にとったものに過ぎず、本発明はこれに何ら限定されるものではなく、リレーの融着有無を確認できる種々の方法が利用可能である。
【００５１】
一方、第２のリレーの融着有無の確認ステップ（Ｓ４００）において第２のリレーの融着が感知されない場合には、開かれている第２のリレーを閉じ（Ｓ４４０）、上述したエネルギー貯蔵システム（ＥＳＳ）のコンタクタの融着有無の確認の手順を終了してもよい。
【００５２】
他方、前記第２のリレーの融着有無の確認ステップにおいて、第２のリレーの融着が感知される場合には、第２の感知部は、バッテリースーパーチェッカー（ＢＳＣ）へと第２のリレーの融着感知信号を伝送（Ｓ５００）した後、上述したエネルギー貯蔵システム（ＥＳＳ）のコンタクタ融着有無の確認の手順を終了してもよい。
【００５３】
２．本発明の他の実施形態に係るエネルギー貯蔵システム（ＥＳＳ）
図２は、本発明の他の実施形態に係るエネルギー貯蔵システム（ＥＳＳ）を示す図である。
【００５４】
以下では、図２に基づいて、本発明の他の実施形態に係るエネルギー貯蔵システム（ＥＳＳ）について説明する。
【００５５】
本発明の他の実施形態に係るエネルギー貯蔵システム（ＥＳＳ）１０は、常時電力網に接続されている。
【００５６】
したがって、エネルギー貯蔵システム（ＥＳＳ）１０に流れる電流を完全に遮断することは不可能である。
【００５７】
一方、前記エネルギー貯蔵システム（ＥＳＳ）１０は、バッテリーの電流、電圧及び温度に基づいて、エネルギー貯蔵システム（ＥＳＳ）の使用有無を決定するバッテリースーパーチェッカー（ＢＳＣ）２００と、互いに直列もしくは並列に接続される多数のバッテリーラックと、前記多数のバッテリーラックから供給される電力を外部に出力する（＋）出力端及び前記バッテリースーパーチェッカー（ＢＳＣ）の指令を受けてエネルギー貯蔵システム（ＥＳＳ）の使用を遮断するエネルギー貯蔵システム（ＥＳＳ）電源遮断部１００を備えていてもよい。
【００５８】
前記エネルギー貯蔵システム（ＥＳＳ）電源遮断部１００は、エネルギー貯蔵システム（ＥＳＳ）の前記バッテリーラックに接続された一方の端と、エネルギー貯蔵システム（ＥＳＳ）１０の（＋）出力端に接続された他方の端とを有し、且つ前記バッテリーラックとエネルギー貯蔵システム（ＥＳＳ）の（＋）出力端との間の電気的な経路を形成するコンタクタと、前記バッテリーラックと前記コンタクタとの間の電気的な経路の上に配設されて経路の電流を測定して前記バッテリースーパーチェッカー（ＢＳＣ）２００に伝送する電流測定部１１０とを備えていてもよい。
【００５９】
一方、本発明のエネルギー貯蔵システム（ＥＳＳ）は、コンタクタを構成する２つのリレーのうち、融着有無を確認するとき、融着有無を確認する１つのリレーの接続は切断され、残りの１つのリレーを介してのみ電流が流れるため、電流値が１つのリレーが許容できる電流範囲であるか否かを確認しなければならない。
【００６０】
換言すれば、普段、２つのリレーが両方とも閉じられていて、第１のリレーを介して電流が流れる第１の電流経路と第２のリレーを介して電流が流れる第２の電流経路との両方を介して電流が流れる。
【００６１】
しかしながら、コンタクタの融着有無を確認するとき、例えば、第１のリレーの融着有無を確認するときには、第１のリレーは開き（Ｓ３１０）、第２のリレーは閉状態を保って第２の電流経路にのみ電流が流れるようにし、第１のリレーの融着有無を確認する。
【００６２】
すなわち、第１のリレーの融着を確認するときには、第２のリレーにのみ電流が流れるため、エネルギー貯蔵システム（ＥＳＳ）の出力電流が第２のリレーが許容する範囲以内ではなければならない。
【００６３】
一方、前記バッテリースーパーチェッカー（ＢＳＣ）２００は、周期的にコンタクタ１２０の融着有無を確認してもよい。
【００６４】
具体的に、前記コンタクタ１２０は、前記電流測定部１１０の出力端に接続された一方の端と、エネルギー貯蔵システム（ＥＳＳ）の（＋）出力端に接続された他方の端とを有する第１のリレー１２１であって、第１の電流経路１１を形成する第１のリレー１２１と、前記電流測定部１１０の出力端に接続された一方の端と、エネルギー貯蔵システム（ＥＳＳ）の（＋）出力端に接続された他方の端とを有する第２のリレー１２２であって、第２の電流経路１２を形成する第２のリレー１２２と、前記第１のリレー１２１の融着有無を感知し、感知結果を前記バッテリースーパーチェッカー（ＢＳＣ）２００に伝送する第１の感知部１２３と、前記第２のリレー１２２の融着有無を感知し、感知結果を前記バッテリースーパーチェッカー（ＢＳＣ）２００に伝送する第２の感知部１２４と、を備えていてもよい。
【００６５】
一方、図２において前記第１の感知部及び第２の感知部の入出力端の接続関係を明確に実現していない理由は、第１の感知部及び第２の感知部として用いられる構成要素に応じて第１のリレー及び第２のリレーとの接続関係が決定されるためである。
【００６６】
例えば、前記第１の感知部及び第２の感知部がフォトカップラーから構成される場合には、前記第１の感知部及び第２の感知部はそれぞれ第１のリレー及び第２のリレーと並列に接続されてもよい。
【００６７】
一方、前記第１の感知部１２３において第１のリレー１２１の融着有無を感知するときには、第１の電流経路１１は遮られ、第２の電流経路１２にのみ電流が流れ、前記第２の感知部１２４において第２のリレー１２２の融着有無を感知するときには、第２の電流経路１２は遮断され、第１の電流経路１１にのみ電流が流れてもよい。
【００６８】
このように、第１のリレー及び第２のリレーを並列に接続して構成することにより、電流の流れを断つことなく順次に第１のリレー及び第２のリレーの融着有無を確認することができる。
【００６９】
換言すれば、前記第１の感知部は、前記電流測定部の出力端に接続された一方の端と、エネルギー貯蔵システム（ＥＳＳ）の（＋）出力端に接続された他方の端とを有し、且つ前記第１のリレーと並列回路を構成して第１のリレーが開かれた場合、並列経路上の電流を測定する電流測定器であってもよい。
【００７０】
例えば、第１の感知部１２３は、第１のフォトカップラーを備えていてもよい。具体的に、第１のフォトカップラーは、第１の発光部と第１の受光部とを併せ持ち、第１の発光部と第１の受光部とは電気的に絶縁され、光信号によって信号が引き渡され得る。動作原理について述べると、第１のフォトカップラーに電流が流れると、前記第１の発光部が発光し、この光を第１の受光部において受光する場合に電気的な信号を生成することができる。換言すれば、前記第１のフォトカップラーは、前記第１のリレーが開かれた場合、第１のフォトカップラーに電流が流れて発光するように前記第１のリレーと並列に接続される。
【００７１】
したがって、本発明の第１の感知部１２３は、第１のリレー１２１を開いた状態で、第１のリレーの融着有無を感知するため、第１のフォトカップラーに電流が流れて第１の発光部が発光することが正常である。
【００７２】
一方、第１の感知部１２３の第１の受光部は、前記第１の発光部から光信号を受信して、前記受信した光信号を電気的な信号に切り換えて前記バッテリースーパーチェッカー（ＢＳＣ）２００に伝送してもよい。一方、第１のリレー１２１に融着が生じた場合には、第２のリレー１２２の融着有無を感知しないことが好ましい。
【００７３】
具体的に、第１のリレー１２１の融着が感知されたということは、第１のリレー１２１が正常的な機能を行い難いことを意味する。すなわち、本発明において第２のリレーの融着有無を検査するときには、第１のリレーのみを閉じた状態であり、第２のリレーは開いた状態であるが、第１のリレーにおいて融着が生じたため、第１のリレーが正常的な機能を行うことができない。したがって、第２のリレーの融着有無を確認するために第２の電流経路１２は開き、非正常的な第１の電流経路１１にのみ電流を流すことは好ましくない。
【００７４】
したがって、第２のリレー１２２の融着有無を感知しないことが好ましい。
【００７５】
一方、第１のリレー１２１において融着が生じなかった場合には、第２のリレー１２２の融着有無を確認してもよい。
【００７６】
具体的に、前記第１のリレー１２１の融着有無を確認するとき、開いた第１のリレー１２１を閉じて第１の電流経路１１を形成し、前記第２のリレー１２２は開いて第２の電流経路１２は経ってもよい。
【００７７】
一方、第２の感知部１２４において前記第２のリレー１２２の融着有無を確認する手順は、上述した前記第１の感知部１２３において第１のリレー１２１の融着有無を感知する手順と同様であってもよい。
【００７８】
具体的に、前記第２の感知部は、前記電流測定部の出力端に接続された一方の端と、エネルギー貯蔵システム（ＥＳＳ）の（＋）出力端に接続された他方の端とを有し、且つ前記第１のリレーと並列回路を構成して第２のリレーが開かれた場合、並列経路上の電流を測定する電流測定器であってもよい。
【００７９】
例えば、第２の感知部１２４は、第２のフォトカップラーを備えていてもよい。具体的に、第２のフォトカップラーは、第２の発光部と第２の受光部とを併せ持ち、発光部と受光部とが電気的に絶縁され、光信号によって信号が引き渡され得る。動作原理について述べると、第２のフォトカップラーに電流が流れると、前記第２の発光部が発光し、この光を第２の受光部において受光する場合に電気的な信号を生成することができる。換言すれば、前記第２のフォトカップラーは、前記第２のリレーが開かれた場合、第２のフォトカップラーに電流が流れて発光するように前記第２のリレーと並列に接続される。
【００８０】
したがって、本発明の第２の感知部１２４は、第２のリレー１２２を開いた状態で、第２のリレーの融着有無を感知するため、第２のフォトカップラーに電流が流れて第２の発光部が発光することが正常である。
【００８１】
一方、第２の感知部１２４の第２の受光部は、前記第２の発光部から光信号を受信すれば、受信した光信号を電気的な信号に切り換えて前記バッテリースーパーチェッカー（ＢＳＣ）２００に伝送してもよい。
【００８２】
他方、前記第２の感知部１２４において、第２のリレー１２２に融着がないと確認される場合には、前記第２のリレーを閉じて第１及び第２の電流経路の両方に電流が流れるようにしてもよい。
【００８３】
その一方で、本発明の技術的思想は、前記実施形態に基づいて具体的に記述されたが、前記実施形態はその説明のためのものであり、その制限のためのものではないということに留意すべきである。なお、本発明の技術分野における当業者であれば、本発明の技術思想の範囲内において種々の実施形態が実施可能であるということが理解できる筈である。
【符号の説明】
【００８４】
１０  エネルギー貯蔵システム（ＥＳＳ）
１１  第１の電流経路
１２  第２の電流経路
１００  エネルギー貯蔵システム（ＥＳＳ）電源遮断部
１１０  電流測定部
１２０  コンタクタ
１２１  第１のリレー
１２２  第２のリレー
１２３  第１の感知部
１２４  第２の感知部
２００  バッテリースーパーチェッカー（ＢＳＣ）
【図１】
2021521458.tif 000003
【図２】
2021521458.tif 000004
【国際調査報告】
2021521458.tif 000005
2021521458.tif 000006
2021521458.tif 000007
2021521458.tif 000008